(57)【要約】【課題】電子ちらし情報を手軽に生成する。【解決手段】ちらし情報生成システム３０は、ＰＯＳサーバからタイムセール対象商品に関する商品情報を取り込む商品情報取得部３０４と、商品情報取得部３０４が取り込んだ商品情報に基づいてタイムセール対象商品に関するちらし情報を生成するちらし情報生成部３０５と、ちらし情報生成部３０５が生成したちらし情報を出力するちらし情報出力部３０７と、を備える。【選択図】図１０
2014154109.tif 000002
【特許請求の範囲】
【請求項１】
ＰＯＳサーバから所定の商品に関する商品情報を取り込む商品情報取得部と、
前記商品情報取得部が取り込んだ前記商品情報に基づいて前記商品に関するちらし情報を生成するちらし情報生成部と、
前記ちらし情報生成部が生成した前記ちらし情報を出力するちらし情報出力部と、
を備えることを特徴とするちらし情報生成システム。
【請求項２】
前記商品情報取得部が取り込んだ前記商品情報に基づいて前記商品に関する棚札情報を生成する棚札情報生成部と、
前記棚札情報生成部が生成した前記棚札情報を外部の電子棚札に供給する棚札制御部と、
をさらに備えることを特徴とする請求項１記載のちらし情報生成システム。
【請求項３】
前記棚札制御部は、前記ちらし情報出力部が前記ちらし情報を出力した後に、前記棚札情報を前記電子棚札に供給する、
ことを特徴とする請求項２記載のちらし情報生成システム。
【請求項４】
顧客情報を記憶する顧客情報記憶部、
をさらに備え、
前記ちらし情報出力部は、前記顧客情報記憶部に記憶された前記顧客情報にしたがって前記ちらし情報を送信する、
ことを特徴とする請求項１〜３いずれか一項記載のちらし情報生成システム。
【請求項５】
商品情報取得部が、ＰＯＳサーバから所定の商品に関する商品情報を取り込む商品情報取得ステップと、
前記商品情報取得ステップにおいて取り込まれた前記商品情報に基づいて、ちらし情報生成部が、前記商品に関するちらし情報を生成するちらし情報生成ステップと、
ちらし情報出力部が、前記ちらし情報生成ステップにおいて生成された前記ちらし情報を出力するちらし情報出力ステップと、
を有することを特徴とするちらし情報生成方法。
【発明の詳細な説明】
【技術分野】
【０００１】
本発明は、ちらし情報生成システムおよびちらし情報生成方法に関する。
【背景技術】
【０００２】
商品を販売するスーパーマーケット等の店舗の商品広告を電子ファイル化して得られたチラシ広告データを、インターネットに配信する技術が知られている（例えば、特許文献１参照）。
【先行技術文献】
【特許文献】
【０００３】
【特許文献１】特開２００２−１６３５３９号公報
【発明の概要】
【発明が解決しようとする課題】
【０００４】
商品を販売する店舗では、特定時間内において特定商品の売価を下げたりポイント率を上げたりするタイムセールが実施されることがある。店舗では、商品のタイムセールに先立ち、このタイムセールの告知やその商品広告を電子ちらし情報として顧客向けに配信したいという要望がある。しかしながら、例えば、特許文献１に開示されたチラシ広告システムを適用してタイムセール用の電子ちらし情報を生成する場合、その電子ちらし情報に用いるデータを、例えば、タイムセールが実施される当日に手軽に準備し、電子ちらし情報を手早く生成することは困難である。
【０００５】
本発明は、上記事情を考慮してなされたものであり、電子ちらし情報を手軽に生成することができる、ちらし情報生成システムおよびちらし情報生成方法を提供することを目的とする。
【課題を解決するための手段】
【０００６】
［１］上記の課題を解決するため、本発明の一態様であるちらし情報生成システムは、ＰＯＳサーバから所定の商品に関する商品情報を取り込む商品情報取得部と、前記商品情報取得部が取り込んだ前記商品情報に基づいて前記商品に関するちらし情報を生成するちらし情報生成部と、前記ちらし情報生成部が生成した前記ちらし情報を出力するちらし情報出力部と、を備えることを特徴とする。
［２］上記［１］記載のちらし情報生成システムにおいて、前記商品情報取得部が取り込んだ前記商品情報に基づいて前記商品に関する棚札情報を生成する棚札情報生成部と、前記棚札情報生成部が生成した前記棚札情報を外部の電子棚札に供給する棚札制御部と、をさらに備えることを特徴とする。
［３］上記［２］記載のちらし情報生成システムにおいて、前記棚札制御部は、前記ちらし情報出力部が前記ちらし情報を出力した後に、前記棚札情報を前記電子棚札に供給する、ことを特徴とする。
［４］上記［１］〜［３］いずれか一項記載のちらし情報生成システムにおいて、顧客情報を記憶する顧客情報記憶部、をさらに備え、前記ちらし情報出力部は、前記顧客情報記憶部に記憶された前記顧客情報にしたがって前記ちらし情報を送信する、ことを特徴とする。
【０００７】
［５］上記の課題を解決するため、本発明の一態様であるちらし情報生成方法は、商品情報取得部が、ＰＯＳサーバから所定の商品に関する商品情報を取り込む商品情報取得ステップと、前記商品情報取得ステップにおいて取り込まれた前記商品情報に基づいて、ちらし情報生成部が、前記商品に関するちらし情報を生成するちらし情報生成ステップと、ちらし情報出力部が、前記ちらし情報生成ステップにおいて生成された前記ちらし情報を出力するちらし情報出力ステップと、を有することを特徴とする。
【発明の効果】
【０００８】
本発明によれば、電子ちらし情報を手軽に生成することができる。
【図面の簡単な説明】
【０００９】
【図１】本発明の一実施形態であるちらし情報生成システムが適用された店舗システムと、顧客端末とを含む全体システムの概略のブロック図である。
【図２】ＰＯＳサーバが記憶する商品マスタ情報テーブルのデータ構成の一例を示す図である。
【図３】ＰＯＳサーバが記憶する商品画像情報テーブルのデータ構成の一例を示す図である。
【図４】ちらし管理サーバが記憶する店舗情報のデータ構成の一例を示す図である。
【図５】ちらし管理サーバが記憶する顧客情報テーブルのデータ構成の一例を示す図である。
【図６】棚札管理サーバが記憶する棚札管理情報テーブルのデータ構成の一例を示す図である。
【図７】ＰＯＳ端末が生成する特売情報テーブルのデータ構成の一例を示す図である。
【図８】ＰＯＳサーバが生成する商品情報テーブルのデータ構成の一例を示す図である。
【図９】棚札管理サーバが生成する棚札情報テーブルのデータ構成の一例を示す図である。
【図１０】ちらし情報生成システムの機能構成を示すブロック図である。
【図１１】テキスト形態のちらし情報の一例を示す図である。
【図１２】組版形態のちらし情報の一例を示す図である。
【図１３】電子棚札が表示する内容の一例を示す図である。
【図１４】全体システムの概略の動作手順を示すシーケンス図である。
【発明を実施するための形態】
【００１０】
以下、本発明を実施するための形態について、図面を参照して詳細に説明する。
図１は、本発明の一実施形態であるちらし情報生成システムが適用された店舗システムと、顧客端末とを含む全体システムの概略のブロック図である。同図に示すように、全体システムは、ＰＯＳ（Ｐｏｉｎｔ  Ｏｆ  Ｓａｌｅｓ）端末１０と、ＰＯＳサーバ２０と、ちらし情報生成システム３０と、電子棚札４０−１，４０−２と、ネットワーク５０と、顧客端末６０−１，６０−２，６０−３とを含んで構成される。全体システムのうち、ＰＯＳ端末１０と、ＰＯＳサーバ２０と、ちらし情報生成システム３０と、電子棚札４０−１，４０−２とが、店舗システムに含まれる。本実施形態は、店舗システムを、商品を販売する店舗に設置した例である。
【００１１】
以下の説明において、電子棚札４０−１，４０−２それぞれを、電子棚札４０と呼ぶことがある。また、顧客端末６０−１，６０−２，６０−３それぞれを、顧客端末６０と呼ぶことがある。また、図１には、説明の便宜上、２台の電子棚札４０および３台の顧客端末６０を示したが、電子棚札４０および顧客端末６０の台数は、同図の例に限定されない。
【００１２】
ＰＯＳ端末１０は、操作者による操作にしたがって、ＰＯＳサーバ２０に登録された商品マスタ情報テーブルを検索し参照する操作端末である。商品マスタ情報テーブルは、例えば、店舗システムが設置された店舗において販売される各商品についての商品マスタ情報を含む。ＰＯＳ端末１０は、商品マスタ情報テーブルを参照する際に、商品画像情報テーブルをも参照してもよい。商品画像情報テーブルは、全ての商品または一部の商品それぞれについての画像情報を含む。商品マスタ情報テーブルおよび商品画像情報テーブルのデータ構成については、後述する。
【００１３】
また、ＰＯＳ端末１０は、操作者による操作にしたがって、商品マスタ情報テーブルに基づいてタイムセールの対象商品（タイムセール対象商品）を選定し、選定したタイムセール対象商品に関するタイムセールの条件を入力する操作端末でもある。タイムセールの条件とは、例えば、タイムセールの開始日時および終了日時として表される時間条件、ならびに値下げ後の特売価格として表される価格条件である。なお、時間条件を、開始日時および特売時間として表してもよい。また、価格条件を、値引分価格または値引率として表してもよい。ＰＯＳ端末１０は、選定されたタイムセール対象商品ごとに、入力されたタイムセールの条件を含む特売情報を生成する。そして、ＰＯＳ端末１０は、各タイムセール対象商品の特売情報をまとめた特売情報テーブルを、ＰＯＳサーバ２０に供給する。特売情報テーブルのデータ構成については、後述する。ＰＯＳ端末１０は、例えば、コンピュータ装置により実現される。
【００１４】
ＰＯＳサーバ２０は、商品マスタ情報テーブルおよび商品画像情報テーブルを格納するストアコンピュータである。ＰＯＳサーバ２０は、ＰＯＳ端末１０が供給する特売情報テーブルを取り込み、この特売情報テーブルに含まれるタイムセール対象商品の価格条件（例えば、特売価格）に基づいて、商品マスタ情報テーブルにおいて対応する販売価格を書き換える。ＰＯＳサーバ２０がこの書き換え処理を実行する理由は、例えば、図示しないＰＯＳレジスタがＰＯＳサーバ２０に格納された商品マスタ情報テーブルを用いて会計処理を実行するためである。
【００１５】
ＰＯＳサーバ２０は、商品マスタ情報テーブルおよび商品画像情報テーブル、ならびに特売情報テーブルに基づいて、タイムセール対象商品ごとに商品情報を生成する。商品情報は、タイムセール対象商品の属性（例えば、商品名、商品の画像、店舗メッセージ）と、タイムセールの条件とを含む情報である。言い換えると、商品情報は、タイムセール対象商品に関する、ちらし情報および棚札情報を生成するための情報である。ちらし情報は、タイムセール対象商品に関する広告情報である。具体的に、ちらし情報は、例えば、タイムセール対象商品に関する文字情報、画像情報、および音声情報を含む電子化された広告宣伝情報である。棚札情報は、タイムセール対象商品に対応する電子棚札４０に表示させる表示情報である。ＰＯＳサーバ２０は、全タイムセール対象商品分の商品情報をまとめた商品情報テーブルを、ちらし情報生成システム３０に供給する。商品情報テーブルのデータ構成については、後述する。
【００１６】
ちらし情報生成システム３０は、ＰＯＳサーバ２０が供給する商品情報テーブルを取り込み、この商品情報テーブルに基づいてタイムセール対象商品に関するちらし情報を生成し、このちらし情報を出力する。また、ちらし情報生成システム３０は、取り込んだ商品情報テーブルに基づいてタイムセール対象商品に関する棚札情報を生成し、この棚札情報を、タイムセール対象商品に対応する電子棚札４０に送信する。ただし、ちらし情報生成システム３０は、ちらし情報を出力する日時と、電子棚札４０に棚札情報を表示させる時間（開始日時および終了日時）とを管理し、ちらし情報を出力した後に、棚札情報を電子棚札４０−１，４０−２に表示させる。
【００１７】
具体的に、ちらし情報生成システム３０は、棚札管理サーバ３１と、ちらし管理サーバ３２とを含んで構成される。
【００１８】
棚札管理サーバ３１は、ＰＯＳサーバ２０が供給する商品情報テーブルを取り込み、この商品情報テーブルに基づいて、タイムセール対象商品に関する棚札情報テーブルを生成する。そして、棚札管理サーバ３１は、電子棚札４０に棚札情報を表示させる時間を商品情報に基づいて管理することによって、当該棚札情報の表示制御を行う。また、棚札管理サーバ３１は、商品情報テーブルをちらし管理サーバ３２に供給する。棚札管理サーバ３１は、例えば、コンピュータ装置により実現される。
【００１９】
ちらし管理サーバ３２は、棚札管理サーバ３１が供給する商品情報テーブルを取り込み、この商品情報テーブルに基づいて、タイムセール対象商品に関するちらし情報を生成する。そして、ちらし管理サーバ３２は、ちらし情報を配信する日時を商品情報に基づいて管理し、選択した顧客端末６０に対し、当該ちらし情報を所定の配信日時に配信する。ちらし管理サーバ３２は、例えば、コンピュータ装置により実現される。
【００２０】
なお、ちらし管理サーバ３２が、ＰＯＳサーバ２０から供給される商品情報テーブルを取り込み、次に、棚札管理サーバ３１に商品情報テーブルを受け渡してもよい。または、棚札管理サーバ３１およびちらし管理サーバ３２が、ＰＯＳサーバ２０から供給される商品情報テーブルを並列に取り込んでもよい。または、棚札管理サーバ３１およびちらし管理サーバ３２を一体化した管理サーバとして実現してもよい。
【００２１】
電子棚札４０は、棚札管理サーバ３１が送信する棚札情報を受信し、自機が指定された棚札情報のみを取り込み、この棚札情報を表示する。また、電子棚札４０は、棚札管理サーバ３１が送信する表示終了命令を受信して取り込み、この表示終了命令にしたがって棚札情報の表示を終了する。
【００２２】
ネットワーク５０は、ローカルエリアネットワーク（Ｌｏｃａｌ  Ａｒｅａ  Ｎｅｔｗｏｒｋ；ＬＡＮ）、携帯電話網、インターネット等の通信網である。
【００２３】
顧客端末６０は、ちらし管理サーバ３２が送信するちらし情報を受信し、このちらし情報を表示する端末である。顧客端末６０は、例えば、スマートフォン、携帯電話機、携帯情報端末、タブレット等の携帯通信機器、コンピュータ装置等により実現される。
【００２４】
次に、本実施形態における店舗システムにあらかじめ記憶される各種情報のデータ構成について説明する。
図２は、ＰＯＳサーバ２０が記憶する商品マスタ情報テーブルのデータ構成の一例を示す図である。同図に示すように、商品マスタ情報テーブルは、商品ごとに、商品識別情報と、商品名と、販売価格とを関連付けた商品マスタ情報を含む。商品識別情報は、商品を識別する情報である。商品名は、商品の名称を表す情報である。販売価格は、店舗における商品の売価を示す情報である。商品を通常販売する場合、通常販売価格が販売価格となり、商品をタイムセールによって特売する場合、特売価格が販売価格となる。商品マスタ情報テーブルにおいて、商品識別情報が主キーである。同図の商品マスタ情報テーブルには、商品識別情報“123456789”と、商品名“ミニトマト”と、販売価格“384”（ここでの販売価格は、通常販売価格である。）とを関連付けた商品マスタ情報が含まれている。
【００２５】
図３は、ＰＯＳサーバ２０が記憶する商品画像情報テーブルのデータ構成の一例を示す図である。同図に示すように、商品画像情報テーブルは、商品マスタ情報テーブルに登録された全ての商品または一部の商品それぞれについて、商品識別情報と、画像情報とを関連付けた商品画像情報を含む。画像情報は、商品識別情報が示す商品の画像を含む情報である。画像情報のデータフォーマットは、例えばビットマップである。商品画像情報テーブルにおいて、商品識別情報が主キーである。同図の商品画像情報テーブルには、商品識別情報“123456789”と、ビットマップデータである画像情報“123456789.dat”とを関連付けた商品画像情報が含まれている。
【００２６】
図４は、ちらし管理サーバ３２が記憶する店舗情報のデータ構成の一例を示す図である。同図に示すように、店舗情報は、店舗識別情報と、店舗名と、郵便番号と、住所と、地域識別情報と、電話番号とを関連付けて含む。店舗識別情報は、店舗を識別する情報である。店舗名は、店舗の名称である。郵便番号は、店舗の所在地に対応する郵便番号である。住所は、店舗の所在地を表す情報である。地域識別情報は、所定のエリアを分割して得られる複数の分割エリアそれぞれを識別する情報のうち、当該店舗の所在地が含まれる分割エリアを識別する情報である。電話番号は、店舗に設置された電話機の電話番号である。同図の店舗情報は、店舗識別情報“AQ0137”と、店舗名“AAA店”と、郵便番号“XXX-XXXX”と、住所“○○県□□市１−２−３”と、地域識別情報“A-10C”と、電話番号“BB-CCCC-DDDD”とを関連付けて含んでいる。
【００２７】
図５は、ちらし管理サーバ３２が記憶する顧客情報テーブルのデータ構成の一例を示す図である。同図に示すように、顧客情報テーブルは、顧客ごとに、顧客識別情報と、氏名と、住所と、地域識別情報と、メールアドレスと、性別と、誕生日と、登録年月日と、配信可否と、ちらし形態とを関連付けた顧客情報を含む。顧客識別情報は、顧客を識別する情報である。氏名は、顧客の氏名である。住所は、顧客の住所を表す情報である。地域識別情報は、店舗情報テーブルにおける地域識別情報と同様に所定のエリアを分割して得られる複数の分割エリアそれぞれを識別する情報のうち、当該顧客の居住地が含まれる分割エリアを識別する情報である。メールアドレスは、顧客が有するメールアドレスである。性別は、顧客の性別を示す情報である。性別は、男性／女性を、例えば、“男”／“女”、“Ｍ”／“Ｗ”等として表す。誕生日は、顧客の誕生日を表す情報である。誕生日は、誕生年および誕生月またはいずれかだけでもよい。登録年月日は、顧客情報を登録した日付を表す情報である。配信可否は、当該顧客が有する顧客端末６０に対する、ちらし情報の配信の可否を示す情報である。配信可否は、配信可／配信不可を、例えば、“○”／“×”、“１”／“０”、“ＯＫ”／“ＮＧ”等として表す。ちらし形態は、ちらし情報の形態を示す情報である。ちらし形態として、例えば、ちらし情報を、テキスト情報のみで構成する「テキスト形態」と、テキスト情報および商品の画像情報で構成する「画像付テキスト形態」と、テキスト情報および商品の画像情報を適用して組版により構成する「組版形態」とが適用できる。顧客情報テーブルにおいて、顧客識別情報が主キーである。同図の顧客情報テーブルには、顧客識別情報“AQ0137-245”と、氏名“○○□□”と、住所“○○県□□市××町”と、メールアドレス“AAA@BBB”と、性別“女”と、誕生日“1986.4”（１９８６年４月を表す。）と、登録年月日“2010/8/5”（２０１０年８月５日を表す。）と、配信可否“○”（配信許可を表す。）と、ちらし形態“テキスト”（テキスト形態を表す。）とを関連付けた顧客情報が含まれている。
【００２８】
図６は、棚札管理サーバ３１が記憶する棚札管理情報テーブルのデータ構成の一例を示す図である。同図に示すように、棚札管理情報テーブルは、電子棚札４０が設けられる商品ごとに、商品識別情報と、一つまたは複数の棚札識別情報とを関連付けた棚札管理情報を含む。商品識別情報は、電子棚札４０が設けられる商品を識別する情報である。棚札識別情報は、その電子棚札４０を識別する情報である。棚札管理情報テーブルにおいて、商品識別情報が主キーである。同図の棚札管理情報テーブルには、商品識別情報“123456789”と、棚札識別情報“AA0146”および“AA0147”とが関連付けられた棚札管理情報が含まれている。この棚札管理情報において、例として、棚札識別情報“AA0146”を、電子棚札４０−１を示す情報、棚札識別情報“AA0147”を、電子棚札４０−２を示す情報とする。
【００２９】
次に、ＰＯＳ端末１０が生成する特売情報テーブルのデータ構成について説明する。
図７は、ＰＯＳ端末１０が生成する特売情報テーブルのデータ構成の一例を示す図である。同図に示すように、特売情報テーブルは、タイムセール対象商品ごとに、商品識別情報と、特売価格と、開始日時と、終了日時と、店長コメントとを関連付けた特売情報を含む。商品識別情報は、タイムセール対象商品を識別する情報である。特売価格は、タイムセールにおけるタイムセール対象商品の販売価格を示す情報である。開始日時は、タイムセールの開始日時を示す日時情報である。終了日時は、タイムセールの終了日時を示す日時情報である。店長コメントは、タイムセール対象商品に関する店舗（店長）から顧客に対するメッセージ情報である。特売情報テーブルにおいて、商品識別情報が主キーである。同図の特売情報テーブルには、商品識別情報“123456789”と、特売価格“298”と、開始日時“2012/11/26_17:00.00”（２０１２年１１月２６日１７時０分０秒を表す。）と、終了日時“2012/11/26_17:59.59”（２０１２年１１月２６日１７時５９分５９秒を表す。）と、店長コメント“とにかく甘い！！”とを関連付けた特売情報が含まれている。
【００３０】
次に、ＰＯＳサーバ２０が生成する商品情報テーブルのデータ構成について説明する。
図８は、ＰＯＳサーバ２０が生成する商品情報テーブルのデータ構成の一例を示す図である。同図に示すように、商品情報テーブルは、タイムセール対象商品ごとに、商品識別情報と、商品名と、特売価格と、開始日時と、終了日時と、店長コメントと、画像情報とを関連付けた商品情報を含む。商品名は、商品識別情報をキーとして商品マスタ情報テーブルから抽出された商品名の情報である。特売価格、開始日時、終了日時、および店長コメントは、商品識別情報をキーとして特売情報テーブルから抽出された、特売価格、開始日時、終了日時、および店長コメントの情報である。画像情報は、商品識別情報をキーとして、商品画像情報テーブルから抽出された画像情報である。商品情報テーブルにおいて、商品識別情報が主キーである。同図の商品情報テーブルには、商品識別情報“123456789”と、商品名“ミニトマト”と、特売価格“298”と、開始日時“2012/11/26_17:00.00”と、終了日時“2012/11/26_17:59.59”と、店長コメント“とにかく甘い！！”と、画像情報“123456789.dat”とを関連付けた商品情報が含まれている。
【００３１】
次に、棚札管理サーバ３１が生成する棚札情報テーブルのデータ構成について説明する。
図９は、棚札管理サーバ３１が生成する棚札情報テーブルのデータ構成の一例を示す図である。同図に示すように、棚札情報テーブルは、電子棚札４０ごとに、棚札識別情報と、商品名と、販売価格と、店長コメントと、画像情報とを関連付けた棚札情報を含む。各棚札情報は、商品識別情報をキーとして、棚札管理情報および商品情報テーブルから抽出された情報である。同図の棚札情報テーブルには、棚札識別情報“AA0146”と、商品名“ミニトマト”と、販売価格“298”と、店長コメント“とにかく甘い！！”と、画像情報“123456789.dat”とを関連付けた、電子棚札４０−１に対応する棚札情報が含まれている。また、この棚札情報テーブルには、棚札識別情報“AA0147”と、商品名“ミニトマト”と、販売価格“298”と、店長コメント“とにかく甘い！！”と、画像情報“123456789.dat”とを関連付けた、電子棚札４０−２に対応する棚札情報が含まれている。
【００３２】
次に、ちらし情報生成システム３０について、より詳細に説明する。
図１０は、ちらし情報生成システム３０の機能構成を示すブロック図である。同図に示すように、ちらし情報生成システム３０は、店舗情報記憶部３０１と、顧客情報記憶部３０２と、棚札管理情報記憶部３０３と、商品情報取得部３０４と、ちらし情報生成部３０５と、棚札情報生成部３０６と、ちらし情報出力部３０７と、棚札制御部３０８とを備える。
【００３３】
図１に示した棚札管理サーバ３１は、例えば、棚札管理情報記憶部３０３と、商品情報取得部３０４と、棚札情報生成部３０６と、棚札制御部３０８との構成を備える。また、同図に示したちらし管理サーバ３２は、例えば、店舗情報記憶部３０１と、顧客情報記憶部３０２と、ちらし情報生成部３０５と、ちらし情報出力部３０７との構成を備える。
【００３４】
店舗情報記憶部３０１は、ちらし情報生成システム３０が設置される店舗についての店舗情報（図４参照）を記憶する。具体的に、店舗情報記憶部３０１は、例えば、店舗識別情報“AQ0137”と、店舗名“AAA店”と、郵便番号“XXX-XXXX”と、住所“○○県□□市１−２−３”と、地域識別情報“A-10C”と、電話番号“BB-CCCC-DDDD”とを関連付けた店舗情報を記憶しているものとする。
【００３５】
顧客情報記憶部３０２は、顧客情報テーブル（図５参照）を記憶する。具体的に、顧客情報記憶部３０２は、例えば、顧客識別情報“AQ0137-245”と、氏名“○○□□”と、住所“○○県□□市××町”と、地域識別情報“A-10C”と、メールアドレス“AAA@BBB”と、性別“女”と、誕生日“1986.4”（1986年4月）と、登録年月日“2010/8/5”と、配信可否“○”と、ちらし形態“テキスト”とを関連付けた顧客情報を含む顧客情報テーブルを記憶しているものとする。
【００３６】
棚札管理情報記憶部３０３は、棚札管理情報テーブル（図６参照）を記憶する。具体的に、棚札管理情報記憶部３０３は、例えば、商品識別情報“123456789”と、棚札識別情報“AA0146”および“AA0147”とを関連付けた棚札管理情報を含む棚札管理情報テーブルを記憶しているものとする。
【００３７】
店舗情報記憶部３０１、顧客情報記憶部３０２、および棚札管理情報記憶部３０３は、例えば、磁気ハードディスク装置、半導体記憶装置等により実現される。
【００３８】
商品情報取得部３０４は、ＰＯＳサーバ２０から商品情報テーブル（図８参照）を取り込む。商品情報テーブルは、ＰＯＳサーバ２０が商品マスタ情報テーブルおよび商品画像情報テーブル、ならびに特売情報テーブルから商品識別情報をキーとして抽出した、商品識別情報と、商品名と、特売価格と、開始日時と、終了日時と、店長コメントと、画像情報とを関連付けた商品情報のテーブルである。具体的に、商品情報取得部３０４は、例えば、商品識別情報“123456789”と、商品名“ミニトマト”と、特売価格“298”と、開始日時“2012/11/26_17:00.00”と、終了日時“2012/11/26_17:59.59”と、店長コメント“とにかく甘い！！”と、画像情報“123456789.dat”とを関連付けた商品情報を含んだ商品情報テーブルを取り込むものとする。
【００３９】
商品情報取得部３０４は、取り込んだ商品情報テーブルを、ちらし情報生成部３０５および棚札情報生成部３０６に供給する。
【００４０】
ちらし情報生成部３０５は、商品情報取得部３０４が供給する商品情報テーブルを取り込み、店舗情報記憶部３０１から店舗情報を読み込む。そして、ちらし情報生成部３０５は、商品情報テーブルおよび店舗情報に基づいて、タイムセール対象商品に関するちらし情報を、テキスト形態、画像付テキスト形態、および組版形態それぞれについて生成する。ちらし情報生成部３０５は、これら３組のちらし情報を、商品情報テーブルにおける開始日時のうち最も早い開始日時を示す最先日時情報とともに、ちらし情報出力部３０７に供給する。
【００４１】
ここで、ちらし情報生成部３０５によるちらし情報生成処理について、具体的に、ちらし形態別に説明する。
［１］テキスト形態
ちらし情報生成部３０５は、店舗情報から、例えば、店舗名“AAA店”と、住所“○○県□□市１−２−３”と、電話番号“BB-CCCC-DDDD”とを抽出し、商品情報テーブルから、商品名“ミニトマト”と、特売価格“298”と、店長コメント“とにかく甘い！！”とを抽出する。つまり、ちらし情報生成部３０５は、店舗情報および商品情報テーブルから、ちらし情報に含めるべき情報をタイムセール対象商品ごとに抽出する。また、ちらし情報生成部３０５は、商品情報テーブルから、最も早い開始日時を示す開始日時（本実施形態では、“2012/11/26_17:00.00”）を抽出して最先日時情報とする。ちらし情報生成部３０５は、抽出した情報に基づいて、ちらしの内容をテキストとして表すちらし情報を生成する。この具体例については、後述する。ちらし情報生成部３０５は、生成したちらし情報および最先日時情報を、ちらし情報出力部３０７に供給する。
【００４２】
［２］画像付テキスト形態
ちらし情報生成部３０５は、さらに、商品情報から画像情報“123456789.dat”を抽出する。つまり、ちらし情報生成部３０５は、店舗情報および商品情報から、ちらし情報に含めるべき情報および画像情報をタイムセール対象商品ごとに抽出する。ちらし情報生成部３０５は、抽出した情報および画像情報に基づいて、ちらしの内容をテキストおよび画像として表すちらし情報を生成する。ちらし情報生成部３０５は、生成したちらし情報および最先日時情報を、ちらし情報出力部３０７に供給する。
【００４３】
［３］組版形態
ちらし情報生成部３０５は、上記の画像付テキスト形態について生成したちらし情報を、あらかじめ有する組版テンプレートにしたがって配置したちらし情報を生成する。組版テンプレートとは、各種テキスト情報および画像情報の配置および大きさを決定するテンプレートデータである。ちらし情報生成部３０５は、生成したちらし情報および最先日時情報を、ちらし情報出力部３０７に供給する。
【００４４】
ちらし情報出力部３０７は、第１の例として、ちらし情報生成部３０５が供給する３組のちらし情報および最先日時情報を取り込み、顧客情報記憶部３０２から、顧客情報テーブルのうち配信可否が配信許可を示す顧客情報を読み込む。現在時刻が、最先日時情報が示す最先日時よりも前である場合、ちらし情報出力部３０７は、顧客情報ごとに、ちらし形態に合致する形態のちらし情報を、メールアドレスを宛先として送信する。ただし、現在時刻が最先日時以降である場合、ちらし情報出力部３０７は、ちらし情報を送信しない。
【００４５】
具体的に、現在時刻が最先日時“2012/11/26_17:00.00”よりも前である場合、ちらし情報出力部３０７は、顧客識別情報が“AQ0137-245”である顧客情報について、テキスト形態のちらし情報を、メールアドレス“AAA@BBB”を宛先として送信する。このように、ちらし情報出力部３０７が出力を制御することにより、タイムセールが開始された後にちらし情報を配信することを防止することができる。
【００４６】
ちらし情報出力部３０７は、第２の例として、店舗情報記憶部３０１から店舗情報をさらに取り込む。そして、現在時刻が、最先日時よりも前である場合、ちらし情報出力部３０７は、店舗情報の地域識別情報と顧客情報の地域識別情報とが一致する場合の顧客情報ごとに、ちらし形態に合致する形態のちらし情報を、メールアドレスを宛先として送信する。この場合においても、現在時刻が最先日時以降である場合、ちらし情報出力部３０７は、ちらし情報を送信しない。
【００４７】
具体的に、現在時刻が最先日時“2012/11/26_17:00.00”よりも前である場合、ちらし情報出力部３０７は、顧客識別情報が“AQ0137-245”である顧客情報について、店舗情報の地域識別情報“A-10C”と顧客情報の地域識別情報“A-10C”とが一致するため、テキスト形態のちらし情報を、メールアドレス“AAA@BBB”を宛先として送信する。このように、ちらし情報出力部３０７が出力を制御することにより、店舗が存在するエリアに居住する顧客、すなわち、当該店舗に比較的近い距離に居住する顧客に対して、ちらし情報を配信することができる。
【００４８】
なお、ちらし情報出力部３０７は、顧客情報における性別、誕生日、登録年月日等の顧客属性に応じて、ちらし情報を配信するようにしてもよい。具体的に、ちらし情報出力部３０７は、性別が女性である顧客に限定したり、今月が誕生月である顧客に限定したり、登録年数が例えば３年を超えている顧客に限定したりしてもよい。
【００４９】
棚札情報生成部３０６は、商品情報取得部３０４が供給する商品情報テーブルを取り込み、棚札管理情報記憶部３０３から棚札管理情報テーブルを読み込む。そして、棚札情報生成部３０６は、商品情報テーブルおよび棚札管理情報テーブルから、商品識別情報をキーとして、棚札識別情報と、商品名と、特売価格と、店長コメントと、画像情報とを抽出し、これら抽出した情報を関連付けた棚札情報テーブルを生成する。また、棚札情報生成部３０６は、商品情報テーブルから開始日時および終了日時を抽出する。そして、棚札情報生成部３０６は、開始日時および終了日時、ならびに棚札情報テーブルを、棚札制御部３０８に供給する。
【００５０】
具体的に、棚札情報生成部３０６は、商品情報テーブルおよび棚札管理情報テーブルから、商品識別情報“123456789”をキーとして、棚札識別情報“AA0146”および“AA0147”と、商品名“ミニトマト”と、特売価格“298”と、店長コメント“とにかく甘い！！”と、画像情報“123456789.dat”とを抽出する。そして、棚札情報生成部３０６は、これら抽出した情報を、関連付けた棚札情報テーブル（図９参照）を生成する。また、棚札情報生成部３０６は、商品情報テーブルから開始日時“2012/11/26_17:00.00”および終了日時“2012/11/26_17:59.59”を抽出する。そして、棚札情報生成部３０６は、開始日時“2012/11/26_17:00.00”および終了日時“2012/11/26_17:59.59”、ならびに図９に示した棚札情報テーブルを、棚札制御部３０８に供給する。
【００５１】
棚札制御部３０８は、棚札情報生成部３０６が供給する開始日時および終了日時、ならびに棚札情報を取り込む。そして、棚札制御部３０８は、開始日時が示す日時に、棚札情報における棚札識別情報が示す電子棚札４０に対して、当該棚札情報を送信する。その後、棚札制御部３０８は、終了日時が示す日時に、表示終了命令を電子棚札４０に送信する。
【００５２】
具体的に、棚札制御部３０８は、開始日時“2012/11/26_17:00.00”に、棚札識別情報が“AA0146”である棚札情報を電子棚札４０−１に送信し、棚札識別情報が“AA0147”である棚札情報を電子棚札４０−２に送信する。その後、棚札制御部３０８は、終了日時“2012/11/26_17:59.59”に、表示終了命令を電子棚札４０−１，４０−２に送信する。
【００５３】
次に、ちらし情報の具体例について説明する。
図１１は、テキスト形態のちらし情報の一例を示す図である。同図は、図８に示した商品情報テーブルと、図４に示した店舗情報とに基づいて、ちらし情報生成部３０５が生成したテキスト形態のちらし情報である。図１１に示すちらし情報において、「ＸＸＸスーパー」、「タイムセールのご案内」、「電話」、「店長より」、「ご来店をおまちしております。」等の、商品情報および店舗情報に含まれない文章は、あらかじめ決められた定型の文章である。また、「１７時から１時間」は、ちらし情報生成部３０５が開始日時および終了日時に基づいて計算して得た情報に基づく文章である。
【００５４】
図１２は、組版形態のちらし情報の一例を示す図である。同図は、図８に示した商品情報テーブルと、図４に示した店舗情報とに基づいて、ちらし情報生成部３０５が生成した組版形態のちらし情報である。図１２に示すちらし情報における画像は、商品情報に含まれる画像情報である。同図のちらし情報における文字の大きさおよびレイアウトは、組版テンプレートに対応したものである。
【００５５】
次に、電子棚札４０の表示例について説明する。
図１３は、電子棚札４０が表示する内容の一例を示す図である。同図に示すように、電子棚札４０は、棚札情報に基づいて、商品名“ミニトマト”と、特売価格“298”と、店長コメント“とにかく甘い！！”と、画像情報“123456789.dat”の画像とを表示する。なお、電子棚札４０に表示する情報は、適宜決定される。
【００５６】
次に、本実施形態における全体システムの動作について説明する。
図１４は、全体システムの概略の動作手順を示すシーケンス図である。まず、ＰＯＳ端末１０の動作について説明する。
ステップＳ１において、ＰＯＳ端末１０は、操作者による操作にしたがってＰＯＳサーバ２０にアクセスし、ＰＯＳサーバ２０に登録された商品マスタ情報テーブルを検索して、商品マスタ情報テーブルからサービス対象商品についての商品マスタ情報を読み込む。
【００５７】
次に、ステップＳ２において、ＰＯＳ端末１０は、操作者による操作にしたがって、タイムセール対象商品ごとに、タイムセールの条件を入力し、このタイムセールの条件を含む特売情報を生成する。
【００５８】
次に、ステップＳ３において、ＰＯＳ端末１０は、全てのタイムセール対象商品分の特売情報テーブルをＰＯＳサーバ２０に供給する。
【００５９】
次に、ＰＯＳサーバ２０の動作について説明する。
ステップＳ２１において、ＰＯＳサーバ２０は、ＰＯＳ端末１０からのアクセスに応じて商品マスタ情報テーブルからサービス対象商品についての商品マスタ情報を抽出し、これら商品マスタ情報をＰＯＳ端末１０に送信する。
【００６０】
次に、ステップＳ２２において、ＰＯＳサーバ２０は、ＰＯＳ端末１０が送信する特売情報テーブルを受信する。
【００６１】
次に、ステップＳ２３において、ＰＯＳサーバ２０は、特売情報テーブルに含まれるタイムセール対象商品の価格条件（例えば、特売価格）に基づいて、商品マスタ情報テーブルにおいて対応する販売価格を書き換える。
【００６２】
次に、ステップＳ２４において、ＰＯＳサーバ２０は、商品マスタ情報テーブルおよび商品画像情報テーブル、ならびに特売情報テーブルに基づいて、タイムセール対象商品ごとに商品情報を生成する。次に、ＰＯＳサーバ２０は、全タイムセール対象商品分の商品情報をまとめた商品情報テーブルを、棚札管理サーバ３１に送信する。
【００６３】
次に、棚札管理サーバ３１の動作について説明する。
ステップＳ４１において、棚札管理サーバ３１は、ＰＯＳサーバ２０が送信する商品情報テーブルを受信する。
【００６４】
次に、ステップＳ４２において、棚札管理サーバ３１は、商品情報テーブルおよび棚札管理情報テーブルに基づいて、タイムセール対象商品に関する棚札情報テーブルを生成する。
【００６５】
次に、ステップＳ４３において、棚札管理サーバ３１は、開始日時が示す日時に、棚札情報における棚札識別情報が示す電子棚札４０に対して、当該棚札情報を送信する。その後、棚札管理サーバ３１は、終了日時が示す日時に、表示終了命令を電子棚札４０に送信する。
【００６６】
次に、電子棚札４０の動作について説明する。
ステップＳ６１において、電子棚札４０は、棚札管理サーバ３１が送信する棚札情報を受信し、自機が指定された棚札情報のみを取り込み、この棚札情報を表示する。その後、電子棚札４０は、棚札管理サーバ３１が送信する表示終了命令を受信して取り込み、この表示終了命令にしたがって棚札情報の表示を終了する。
【００６７】
次に、ちらし管理サーバ３２の動作について説明する。
ステップＳ８１において、ちらし管理サーバ３２は、棚札管理サーバ３１が送信する商品情報テーブルを受信する。
【００６８】
次に、ステップＳ８２において、ちらし管理サーバ３２は、商品情報テーブルおよび店舗情報に基づいて、タイムセール対象商品に関するちらし情報を、テキスト形態、画像付テキスト形態、および組版形態それぞれについて生成する。
【００６９】
次に、ステップＳ８３において、現在時刻が、商品情報テーブルにおける開始日時のうち最も早い開始日時よりも前である場合、ちらし管理サーバ３２は、顧客情報ごとに、ちらし形態に合致する形態のちらし情報を、メールアドレスを宛先として送信する（第１の例）。
【００７０】
または、現在時刻が、商品情報テーブルにおける開始日時のうち最も早い開始日時よりも前である場合、ちらし管理サーバ３２は、店舗情報の地域識別情報と顧客情報の地域識別情報とが一致する場合の顧客情報ごとに、ちらし形態に合致する形態のちらし情報を、メールアドレスを宛先として送信する（第２の例）。
【００７１】
次に、顧客端末６０の動作について説明する。
ステップＳ１０１において、顧客端末６０は、ちらし管理サーバ３２が送信するちらし情報を受信する。
【００７２】
以上説明したように、本発明の一実施形態であるちらし情報生成システム３０は、ＰＯＳサーバ２０からタイムセール対象商品に関する商品情報を取り込む商品情報取得部３０４と、その商品情報に基づいてタイムセール対象商品に関するちらし情報を生成するちらし情報生成部３０５と、そのちらし情報を出力するちらし情報出力部３０７と、を備えた。
【００７３】
このように構成したことにより、ちらし情報生成システム３０は、商品マスタ情報テーブルを記憶したＰＯＳサーバ２０から取得した商品情報を用いて、ちらし情報を容易に生成することができる。従来では、タイムセールの実施が決定された段階で、タイムセール対象商品についてのＰＯＳ用のデータを生成してこのデータをＰＯＳサーバに登録し、またこれとは別に、タイムセールの実施内容に基づいてちらし情報用のデータを準備しなければならず、ＰＯＳ用のデータとちらし情報用のデータとを個別に作成しなければならいという手間が生じていた。これに対し、本実施形態であるちらし情報生成システム３０は、ＰＯＳサーバ２０から得られる商品情報を流用してちらし情報を生成できるため、従来のようにちらし情報を生成するためのデータをあらたに準備する必要がない。よって、例えば、夕刻に実施されるタイムセールに先立ち、ちらし情報生成システム３０は、ＰＯＳ用のデータが登録されることに応じて、当該タイムセールの告知やその商品広告を含むちらし情報を、当日の日中に容易に生成して顧客向けに配信することができる。
【００７４】
また、ちらし情報生成システム３０は、商品情報取得部３０４が取り込んだ商品情報に基づいてタイムセール対象商品に関する棚札情報を生成する棚札情報生成部３０６と、この棚札情報を電子棚札４０に供給する棚札制御部３０８と、をさらに備えた。
【００７５】
このように構成したことにより、ちらし情報生成システム３０は、ＰＯＳサーバ２０から取得した商品情報を用いて、ちらし情報および棚札情報の両方を容易に生成することができる。
これにおいて、棚札制御部３０８が、ちらし情報出力部３０７がちらし情報を出力した後に、棚札情報を電子棚札４０に供給するよう制御することにより、電子棚札４０がタイムセールの値札に切替わった後に、ちらし情報が配信されることを防ぐことができる。
【００７６】
なお、本発明の一実施形態では、ＰＯＳサーバ２０が、店舗に設置されるストアコンピュータである例とした。これ以外に、ＰＯＳサーバ２０が、店舗外、例えば、複数の店舗を統括する本店等に設置され、複数のちらし情報生成システムにネットワークを介して接続されるようにしてもよい。
【００７７】
また、ちらし管理サーバ３２についても、上記と同様に本店等に設置され、複数の棚札管理サーバ３１にネットワークを介して接続されるようにしてもよい。
【００７８】
また、上述した実施形態であるちらし情報生成システム３０の一部の機能をコンピュータで実現するようにしてもよい。この場合、その制御機能を実現するためのコンピュータプログラムをコンピュータ読み取り可能な記録媒体に記録し、この記録媒体に記録されたコンピュータプログラムをコンピュータシステムに読み込ませて、このコンピュータシステムが実行することによって実現してもよい。なお、このコンピュータシステムとは、オペレーティング・システム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記のコンピュータプログラムは、前述した機能の一部を実現するためのものであってもよく、さらに、前述した機能をコンピュータシステムにすでに記録されているプログラムとの組み合わせにより実現するものであってもよい。
【００７９】
以上、本発明の実施の形態について図面を参照して詳述したが、具体的な構成はその実施形態に限られるものではなく、本発明の要旨を逸脱しない範囲の設計等も含まれる。
【符号の説明】
【００８０】
１０  ＰＯＳ端末
２０  ＰＯＳサーバ
３０  ちらし情報生成システム
３１  棚札管理サーバ
３２  ちらし管理サーバ
４０−１，４０−２  電子棚札
５０  ネットワーク
６０−１，６０−２，６０−３  顧客端末
３０１  店舗情報記憶部
３０２  顧客情報記憶部
３０３  棚札管理情報記憶部
３０４  商品情報取得部
３０５  ちらし情報生成部
３０６  棚札情報生成部
３０７  ちらし情報出力部
３０８  棚札制御部
【図１】
2014154109.tif 000003
【図２】
2014154109.tif 000004
【図３】
2014154109.tif 000005
【図４】
2014154109.tif 000006
【図５】
2014154109.tif 000007
【図６】
2014154109.tif 000008
【図７】
2014154109.tif 000009
【図８】
2014154109.tif 000010
【図９】
2014154109.tif 000011
【図１０】
2014154109.tif 000012
【図１１】
2014154109.tif 000013
【図１２】
2014154109.tif 000014
【図１３】
2014154109.tif 000015
【図１４】
2014154109.tif 000016